(57)【要約】【課題】  施療者の腕部または脚部などの肢体に対する施療を拡充し、施療者の全身に対する効果的な施療を実施する事が可能な施療機を提供する。【解決手段】  足載部１３ａと座部１１ａと背凭れ部１２ａと肘掛部１４ａを備えた椅子本体１０ａの座部１１ａ又は背凭れ部１２ａの適位置に、空気給排装置４２ａによる給排気により膨縮動作を行わせる膨縮袋４ａを配備する。又、背凭れ部１２ａには、施療者背面に多様な形態で施療を施し得る昇降自在な施療機構３ａを設ける。そして肘掛部１４ａに、肘掛部１４ａの内側後方から施療者の前腕部を挿入し得る前腕挿入開口部６１ａを開設すると共に、該前腕挿入開口部６１ａから延設して肘掛部１４ａの内部に施療者の前腕部を挿入保持し得る空洞部６２ａを設け、該空洞部６２ａの内部壁面６２１ａ各所に施療者の前腕部に施療を施し得る前腕部施療機構６ａを設けている。【選択図】  図１
2008043449.tif 000002
【特許請求の範囲】
【請求項１】
足載部と座部と背凭れ部と肘掛部を備えて椅子本体を形成し、該椅子本体の座部又は背凭れ部の適位置に、空気給排装置による給排気により膨縮動作を行わせる膨縮袋を配備すると共に、背凭れ部には、施療者背面に多様な形態で施療を施し得る昇降自在な施療機構を設け、前記肘掛部に、肘掛部の内側後方から施療者の前腕部を挿入し得る前腕挿入開口部を開設すると共に、該前腕挿入開口部から延設して肘掛部の内部に施療者の前腕部を挿入保持し得る空洞部を設け、該空洞部の内部壁面各所に施療者の前腕部に施療を施し得る前腕部施療機構を設けた事を特徴とする施療機。
【請求項２】
前記椅子本体の座部に、施療者の臀部又は大腿部に多様な形態で施療を施し得る施療機構が設けられている事を特徴とする請求項１記載の施療機。
【請求項３】
前記椅子本体の足載部を、施療者の脛部及び足先部を嵌入させる左右一対の凹部を備えた足載部に形成し、各凹部の適位置に前記空気給排装置による給排気により膨縮動作を行わせる膨縮袋を配備した事を特徴とする請求項１記載の施療機。
【請求項４】
前記椅子本体の背凭れ部は、左右両側に前方に向かって突出した側壁部が夫々配設された背凭れ部であり、該背凭れ部の各側壁部の適位置に、前記空気給排装置による給排気により膨縮動作を行わせる膨縮袋を配備した事を特徴とする請求項１記載の施療機。
【請求項５】
前記椅子本体の空洞部には、その先端部に請求項１又は請求項２の施療機構の作動、請求項１、請求項３、又は請求項４の膨縮袋の膨縮、並びに請求項１の前腕部施療機構の作動を開始又は瞬間停止させる安全作動スイッチを備えていることを特徴とする請求項１乃至請求項４の何れか一項記載の施療機。
【発明の詳細な説明】
【技術分野】
【０００１】
本発明は、施療者の腕部や脚部を含む全身に対する施療を行う施療機に関するものである。
【背景技術】
【０００２】
従来の施療機において、施療者の背中のみならず、腕部または脚部などの肢体に及んで施療する構成のものは既に存在し、市場では商品化されている。
【０００３】
例えば、図１９に示すような、前腕部施療機構を備えた施療機が開示されている。すなわち、手揉機能付施療機１として、肘幅方向両側に各々立上り壁２１１・２１１を設けた肘掛部２１を椅子本体２の両側に設けており、その肘掛部２１の各立上り壁２１１・２１１間に人体手部を各々嵌脱自在で該人体手部に膨縮施療を付与し得るよう、圧縮空気給排気手段を配設して成り、施療者が着座状態で人体手部を両肘掛部２１・２１上面部に安定的に保持させて、人体手部及び腕部を効率良く空圧施療する事ができるよう構成したものである。
【０００４】
さらに、図２０に示すのは、凹部の内壁に、人体の肢体を挿入するための空間を設けるように空気袋を夫々取着して施療部を形成し、空気袋に空気を給排気して空気袋を膨張及び収縮させる給排気装置を連通して設けてなるエアーマッサージ機３を、椅子２０の肘掛けの上部や、座部前側に配置した構成のものである。
【特許文献１】特開２００３−１８０７７３号公報（第７頁、図１１）
【特許文献２】特開２００１−０３７８２９号公報（第３頁、図２）
【発明の開示】
【発明が解決しようとする課題】
【０００５】
ところで、前記のような従来の施療機は、肘掛部の施療手段として、空気袋などの膨縮袋を配備した左右の立上り壁からなる凹部を全体的に構成したものであるため、該凹部への挿入口が常時開放している。（図１９及び図２０の肘掛部に形成する凹部は、上部が挿入口となっている。）そのため、該凹部内部では押圧施療、または挟圧施療を実施する事ができるのであるが、該凹部の挿入口付近の人体施療部位に対する施療がなされず、凹部内部における施療効果が偏ったものとなるという、凹部を有するがために生じる施療機の特有の問題があった。
【０００６】
そこで、本発明は、上記問題点を解消する為に成されたものであり、腕部または脚部などの肢体に対する施療を拡充し、施療者の全身に対する効果的な施療を実施する事が可能な施療機を提供する事を目的とするものである。
【課題を解決するための手段】
【０００７】
すなわち、本発明の施療機は、足載部と座部と背凭れ部と肘掛部を備えて椅子本体を形成し、該椅子本体の座部又は背凭れ部の適位置に、空気給排装置による給排気により膨縮動作を行わせる膨縮袋を配備すると共に、背凭れ部には、施療者背面に多様な形態で施療を施し得る昇降自在な施療機構を設けたものであり、肘掛部に、肘掛部の内側後方から施療者の前腕部を挿入し得る前腕挿入開口部を開設すると共に、該前腕挿入開口部から延設して肘掛部の内部に施療者の前腕部を挿入保持し得る空洞部を設け、該空洞部の内部壁面各所に施療者の前腕部に施療を施し得る前腕部施療機構を設けた構成のものである。
【０００８】
また、本発明の施療機は、前記椅子本体の座部に、施療者の臀部又は大腿部に多様な形態で施療を施し得る施療機構を設けた構成にする。
【０００９】
さらに、本発明の施療機は、前記椅子本体の足載部を、施療者の脛部及び足先部を嵌入させる左右一対の凹部を備えた足載部に形成し、各凹部の適位置に前記空気給排装置による給排気により膨縮動作を行わせる膨縮袋を配備している。
【００１０】
また、本発明の施療機は、前記椅子本体の背凭れ部を、左右両側に前方に向かって突出した側壁部が夫々配設された背凭れ部とし、該背凭れ部の各側壁部の適位置に、前記空気給排装置による給排気により膨縮動作を行わせる膨縮袋を配備した構成である。
【００１１】
さらに、本発明の施療機は、前記椅子本体の空洞部に、その先端部に施療機構の作動、膨縮袋の膨縮、並びに前腕部施療機構の作動を開始又は瞬間停止させる安全作動スイッチを備えるものである。
【発明の効果】
【００１２】
よって、本発明の施療機は、足載部と座部と背凭れ部と肘掛部を備えて椅子本体を形成し、該椅子本体の座部又は背凭れ部の適位置に、空気給排装置による給排気により膨縮動作を行わせる膨縮袋を配備すると共に、背凭れ部には、施療者背面に多様な形態で施療を施し得る昇降自在な施療機構を設けており、肘掛部に、肘掛部の内側後方から施療者の前腕部を挿入し得る前腕挿入開口部を開設すると共に、該前腕挿入開口部から延設して肘掛部の内部に施療者の前腕部を挿入保持し得る空洞部を設け、該空洞部の内部壁面各所に施療者の前腕部に施療を施し得る前腕部施療機構を設けた構成のものであるため、施療機構や膨縮袋及び前腕部施療機構による各種の施療が可能であると共に、前腕部に対する不必要な圧迫や摺擦をもたらす要因がなくなり、また、前腕部施療機構におけるスムーズな前腕部の載脱も可能となり、施療者が起立及び着座を快適に行う事ができる。
【００１３】
また、本発明の施療機は、前記椅子本体の座部に、施療者の臀部又は大腿部に多様な形態で施療を施し得る施療機構を設けた構成であるため、前記前腕部施療機構による前腕部の施療を施しながら、施療子によるたたき、揉み、ローリング、振動、指圧などの多様な施療を施療者の臀部又は大腿部に対して実施する事ができる。
【００１４】
さらに、本発明の施療機は、前記椅子本体の足載部を、施療者の脛部及び足先部を嵌入させる左右一対の凹部を備えた足載部に形成し、各凹部の適位置に前記空気給排装置による給排気により膨縮動作を行わせる膨縮袋を配備しているため、左右一対の凹部において施療者の脛部及び足先部を安定保持させた状態で、膨縮袋による押圧または挟圧施療を実施する事ができる。
【００１５】
また、本発明の施療機は、前記椅子本体の背凭れ部を、左右両側に前方に向かって突出した側壁部が夫々配設された背凭れ部とし、該背凭れ部の各側壁部の適位置に、前記空気給排装置による給排気により膨縮動作を行わせる膨縮袋を配備した構成であるため、該膨縮袋の膨縮動作により施療者の左右両側部、特に左右の上腕部の両側部に対する施療を実施する事ができるし、膨縮袋が所定の間において膨張保持する場合は、背凭れ部に凭れた施療者の上半身を左右から固定した状態を保ちながら、背凭れ部に設けられた前記施療機構による背部からの施療を効果的に行う事が可能となる。
【００１６】
さらに、本発明の施療機は、前記椅子本体の空洞部に、その先端部に施療機構の作動、膨縮袋の膨縮、並びに前腕部施療機構の作動を開始又は瞬間停止させる安全作動スイッチを備えるものであるため、施療者は肘掛部の空洞部に手腕部が保持された状態のままで、施療機構や膨縮袋、前腕部施療機構の作動を開始又は瞬間停止を行う事ができる。また、施療者が椅子本体から即座に離れて避難する必要が生じるなどの緊急事態において、膨縮袋の挟圧などにより施療者の身体、または手腕や脚などの肢体が拘束されていたとしても、指先で安全作動スイッチを操作して、直ちに膨縮袋の内部気圧を緩和させて、身体や肢体を離脱する事ができる。
【発明を実施するための最良の形態】
【００１７】
以下に、本発明の施療機を、図面に示す一実施形態に基づきこれを詳細に説明する。図１は本発明の施療機の一実施形態を示す斜視図であり、図２は本発明の施療機の一実施形態を示す使用時の斜視図であり、図３及び図４は本発明の施療機の一実施形態を示す使用時の右側面図であり、図５は本発明の施療機における背凭れ部の一実施形態を示す横断面説明図であり、図６は本発明の施療機における肘掛部の一実施形態を示す使用時の平面説明図であり、図７乃至図１２は本発明の施療機における肘掛部の一実施形態を示す縦断面説明図であり、図１３乃至図１６は本発明の施療機における肘掛部の一実施形態を示す斜視説明図であり、図１７は、本発明の施療機の一実施形態を示す使用時の部分正面説明図であり、図１８乃至図２０は従来技術を示す参考図である。
【００１８】
すなわち、本発明の施療機は、図１乃至図３の実施形態で示したように、施療者の脚部または足先部が当接する足載部１３ａと、施療者の臀部または大腿部が当接する座部１１ａと、施療者の背部が当接する背凭れ部１２ａ、また、座部１１ａの左右に立設して施療者の手部または腕部が当接する肘掛部１４ａとを備えて椅子本体１０ａを形成した施療機１ａである。
【００１９】
前記背凭れ部１２ａは、前記座部１１ａの後側にリクライニング可能に連結され、前記足載部１３ａは、座部１１ａの前側に上下方向へ揺動可能に連結している。
【００２０】
また、前記背凭れ部１２ａの左右両側に前方に向かって突出した側壁部２ａを夫々配設している。
【００２１】
図１に示すように、前記背凭れ部１２ａには、施療者背面に多様な形態で施療を施し得る昇降自在な施療機構３ａを設けている。該施療機構３ａは、左右一対の施療子３１ａを備えており、背凭れ部１２ａの内部左右に設けた左右一対のガイドレール３２ａに沿って背凭れ部１２ａの上端から下端にかけて昇降するようにしている。
【００２２】
前記施療機構３ａは、モータ等を駆動源として前記左右一対の施療子３１ａを作動させる機械式の施療機構であり、前記背凭れ部１２ａに凭れた施療者の首部、背部、腰部、臀部等の背面全域を、たたき、揉み、ローリング、振動、指圧などの多様な形態で施療するようにしたものである。
【００２３】
また、前記施療機１ａの各所定の位置には、空気給排装置４２ａによる給排気により膨縮動作を行わせる膨縮袋４ａを配備している。該膨縮袋４ａは、エアーコンプレッサー及び各膨縮袋４ａに空気を分配するための分配器等からなる空気給排装置４２ａによる給排気により膨縮動作を行うようにしており、該空気給排装置４２ａは前記座部１１ａの下部空間に配備している。
【００２４】
前記空気給排装置４２ａによる前記各膨縮袋４ａの膨縮動作によって、施療者の所定の施療部位を押圧、指圧等を実施する事ができるものであり、また、複数の膨縮袋４ａを対となるよう対設させた場合には、挟圧等の施療も行う事ができ、更に、各膨縮袋４ａを膨張状態に保つようにした場合は、施療者の所定の部位を一定の時間保持する事も可能としている。
【００２５】
また、前記背凭れ部１２ａの適位置に、前記膨縮袋４ａを配備している。すなわち、図面のように、該背凭れ部１２ａの前面側左右上部及び左右下部に、各膨縮袋４ａを設ける事ができる。
【００２６】
これら前記膨縮袋４ａを前記背凭れ部１２ａの適位置に配設することより、施療者の背中及び腰部を押圧、または左右両側から挟圧するような施療を行うよう構成することができる。
【００２７】
また、前記座部１１ａの適位置にも、前記膨縮袋４ａを配備する事ができる。図面のように、座部１１ａの前後に腿部用また臀下部用の各膨縮袋４ａを夫々埋設して、主に下方から上方に押圧する施療を行うようにしている。
【００２８】
さらに、図１に示すように、前記座部１１ａに施療者の臀部又は大腿部に多様な形態で施療を施し得る施療機構３ａを設ける事ができる。該座部１１ａの施療機構３ａは、前記背凭れ部１２ａに設けた施療機構３ａのようにモータ等を駆動源とする左右一対の施療子と、該施療子の位置移動のためのガイドレールからなる構成であってもよいし、または、定位置で、施療子のみが多様な形態で作動して施療を実施できるものであってもよい。
【００２９】
また、図６に示すように、前記座部１１ａの施療機構３ａは、揉み動作を行う左右一対の施療子３１ａ・３１ａと、該施療子３１ａ・３１ａの離間において伸縮自在となるための伸縮部３３ａと、施療子３１ａを施療者の大腿部に沿って移動させるためのガイドレール３２ａを備える構成にしてもよい。左右一対の施療子３１ａ・３１ａが施療者の大腿部を左右から揉みほぐしながら前後に往復移動する事により、施療者の大腿部に対する施療を十分に行う事ができる。尚、伸縮部３３ａは、大腿部における太さの個人差に対応するためのものであり、その内部にバネなどからなる伸縮部材を内装し、大腿部の自重に伴って該伸縮部材が伸縮し、施療子３１ａ・３１ａの離間が自動的に調節されるように構成する事ができる。
【００３０】
前記足載部１３ａは、施療者の脛部及び足先部を嵌入させる左右一対の凹部１３１ａを備えたものとして形成する事ができ、各凹部１３１ａの適位置に前記空気給排装置４２ａによる給排気により膨縮動作を行わせる膨縮袋４ａを配備している。図１に示すように、前記足載部１３ａの前記各凹部１３１ａに、前記膨縮袋４ａを左右一対として対設するよう配設させて、凹部内部で施療者の脛部及び足先部に対する挟圧施療を実施するよう構成できる。
【００３１】
前記背凭れ部１２ａに設けた左右の側壁部２ａは、座部１１ａに着座した施療者の肩部または上腕側方となる位置に配設しており、該各側壁部２ａの適位置に、前記空気給排装置４２ａによる給排気により膨縮動作を行わせる膨縮袋４ａを配備している。
【００３２】
図５に示すように、前記左右の側壁部２ａの内側面において、夫々左右方向に重合した膨縮袋４ａを並列状態に埋設して構成する事ができる。これら重合した膨縮袋４ａ・４ａはその基端部のみを側壁部２ａの基端部に取り付けているため、膨張時には重合した膨縮袋４ａ・４ａが扇状に広がって施療者の肩部や上腕部の身体側部を挟圧しつつ、身体前方まで覆うようになる。
【００３３】
よって、前記左右側壁部２ａの前記膨縮袋４ａは、上記したように、膨縮動作により身体側部を施療する事ができるだけでなく、一定の時間において膨張状態を保ちながら、施療者の身体が前記背凭れ部１２ａから離れないようにしっかりと保持する事ができ、図５に示すように施療者の身体を固定したままの状態で前記施療機構３ａの前記施療子３１ａによる背部からの施療を効果的に受ける事が可能となるのである。
【００３４】
本発明の施療機１ａは、図１及び図６に示すように、前記肘掛部１４ａに、前記肘掛部１４ａの内側後方から施療者の前腕部を挿入し得る前腕挿入開口部６１ａを開設しており、また、該前腕挿入開口部６１ａから延設して肘掛部１４ａの内部に施療者の前腕部を挿入保持し得る空洞部６２ａを設けている。
【００３５】
さらに、前記施療機１ａは、前記空洞部６２ａの内部壁面６２１ａの各所に施療者の前腕部に施療を施し得る前腕部施療機構６ａを設けて構成している。
【００３６】
前記空洞部６２ａは、前記肘掛部１４ａの幅方向左右に夫々設けた外側立上り壁６２２ａ及び内側立上り壁６２３ａと、底面部６２４ａとから形成しており、該外側立上り壁６２２ａ及び内側立上り壁６２３ａの前記各内部壁面６２１ａに、前腕部施療機構６ａを設けている。尚、適宜底面部６２４ａにも該前腕部施療機構６ａを設ける事ができる。
【００３７】
前記底面部６２４ａは、施療者の前腕部を載置しうるための載置面として形成されている。該底面部６２４ａに手部や前腕部を載置した状態で、前腕部施療機構６ａによる施療を実施できるようにしている。
【００３８】
前記前腕部施療機構６ａは、前記膨縮袋４ａからなる形態のものでもよく、図６及び図７に示すように、施療者の手部と前腕部に対し夫々挟圧施療が行えるように、前記空洞部６２ａの長さ方向前後に左右一対の膨縮袋４ａ・４ａを夫々設ける事ができる。すなわち、空洞部６２ａの長さ方向前側に設けられた前記左右一対の膨縮袋４ａは、手部に対応し、また空洞部６２ａの長さ方向後側に設けられた前記左右一対の膨縮袋４ａは、前腕部に対応するよう構成する事ができる。
【００３９】
さらに、手部に対応した前記左右一対の膨縮袋４ａと、前腕部に対応した左右一対の前記膨縮袋４ａとを、同時に、または交互に膨縮させるようにする事により、変化に富んだ施療が実現できる。
【００４０】
前記肘掛部１４ａの上面部には、前記空洞部６２ａを隔てて施療者の前腕部を載置しうるための載置面６３ａが形成されている。よって、施療者が前腕部施療機構６ａによる施療を所望しない時に、該載置面６３ａに前腕部を載置しておく事ができる。該載置面６３ａは、前記底面部６２４ａの位置より高いので、身長の高い施療者にとって便利な肘掛けとなる。
【００４１】
図１に示すように、前記肘掛部１４ａには、前記外側立上り壁６２２ａ及び内側立上り壁６２３ａの上面前端部に、着座した施療者が立ち上がる際、或いは着座する際において、体重を掛けるための手掛け部６５ａを設けている。すなわち、前記空洞部６２ａの先端部の上方を塞ぐような形態に手掛け部６５ａを形成している。
【００４２】
また、図１７に示すように、前記底面部６２４ａと前記手掛け部６５ａとの各載置面は異なり、底面部６２４ａよりも手掛け部６５ａの載置面の方が高い位置に形成されているため、施療者が着座状態から立ち上がろうとして、手掛け部６５ａを掴む際、既に前腕部は底面部６２４ａから上方へ移動し、また、前記空洞部６２ａから脱出しているため、図１８に示す従来の構成のように、前記内側立上り壁６２３ａによる前腕部内側の摺擦を回避する事ができる。
【００４３】
さらに、図１３に示すように、前記手掛け部６５ａの下面部及び前記底面部６２４ａの上面部に、前記膨縮袋４ａを夫々設けて、手部を上下に挟圧するよう構成する事も可能である。
【００４４】
このような、前記前腕部施療機構６ａにおける手部に対する上下挟圧動作と、前述したような手部に対する左右からの挟圧動作とを、同時に、または交互に行うことにより、変化に富んだ施療が可能となる。
【００４５】
また、図１３に示すように、前記底面部６２４ａにおいて、手部に対応した前記左右一対の膨縮袋４ａの他にも前腕部に対応した左右一対の前記膨縮袋４ａの位置に、適宜前記膨縮袋４ａを設ける事ができる。
【００４６】
前腕部に対応した前記各左右一対の膨縮袋４ａと、それに対応するよう底面部６２４ａに設けられた膨縮袋４ａとを、同時に、または交互に行うことにより、変化に富んだ施療が可能となる。或いは、左右一対の膨縮袋４ａを膨張保持させた状態で、底面部６２４ａに設けられた膨縮袋４ａを上方へ膨張させる事により、前腕部を安定させた状態で圧迫感のある施療を実施する事ができる。
【００４７】
また、図１３に示すように、前記空洞部６２ａにおいて前腕部に対応した前記各膨縮袋４ａよりも後方である位置に、前記膨縮袋４ａを設けてもよい。この後方の位置に、前腕挿入開口部６１ａを設けているため、前記内側立上り壁６２３ａは形成されていないが、図８に示すように、前記外側立上り壁６２２ａ及び前記底面部６２４ａの二面において、互いに対設するよう膨縮袋４ａ・４ａを設ける事ができる。
【００４８】
この場合、図８に示すように、前記外側立上り壁６２２ａの下部において、膨縮袋４ａの下部の縁部４１ａを止着すると共に、前記底面部６２４ａの外側立上り壁６２２ａ側に、もう一つの膨縮袋４ａの外側立上り壁６２２ａ側の縁部４１ａを止着して構成してもよい。これにより、外側立上り壁６２２ａ及び前記底面部６２４ａの二面において、挟圧施療を実施する事ができる。
【００４９】
図１３に示す前記前腕部施療機構６ａは、前部に口型施療部６６ａ、中部に凹型施療部６７ａ、後部にＬ型施療部６８ａを夫々備えた構成にしたものを例示している。すなわち、口型施療部６６ａは、前記底面部６２４ａ、前記外側立上り壁６２２ａ及び内側立上り壁６２３ａ、手掛け部６５ａにより口型に囲われた施療部であり、凹型施療部６７ａは、底面部６２４ａと外側立上り壁６２２ａ及び内側立上り壁６２３ａにより凹型に形成する施療部であり、Ｌ型施療部６８ａは、底面部６２４ａと外側立上り壁６２２ａとによりＬ型に形成する施療部である。
【００５０】
図１４に示す形態は、前部に口型施療部６６ａ、中部にコ型施療部６９ａ、後部にＬ型施療部６８ａを夫々備えたものである。該コ型施療部６９ａは、前記底面部６２４ａ、前記外側立上り壁６２２ａ、手掛け部６５ａによりコ型に形成する施療部となる。
【００５１】
この形態は、特に前腕部の中腹に対する上下方向の挟圧を可能としている。また、手掛け部６５ａの面積が大きくなるため、施療者が手掛け部６５ａ上面部に手を置いて起立または着座がし易くなる。
【００５２】
また、図１５に示すのは、前部及び中部に口型施療部６６ａ、後部にＬ型施療部６８ａを夫々備えた構成であり、特に前腕部の中腹に対する施療をさらに充実させる形態のものである。
【００５３】
図９に示すのは、前記口型施療部６６ａに設けた前記膨縮袋４ａの、他の配置形態である。すなわち、下部を底辺とし上部を頂点とする三角型の空洞部６２ａの内面に夫々膨縮袋４ａを設けている。このように構成する事により、図９に示すように手のひらを下にして載置したり、または図１０に示すように手部を縦にして載置したりする事ができ、施療者の好みに応じられる。
【００５４】
または、図１１に示すように、前記空洞部６２ａを口型に形成すると共に、三角型になるよう複数の膨縮袋４ａを連結し、膨縮袋４ａで形成した三角型の内部に手部や前腕部を挿入する事も可能である。この場合、口型に形成した空洞部６２ａの内部で、自由に手部や前腕部を回転する事ができ、施療者は好みの姿勢で施療を受ける事ができる。
【００５５】
或いは、口型に形成した空洞部６２ａの内部に、輪型の膨縮袋４ａを設けてもよい。該輪型の膨縮袋４ａは、図１２に示すように手部や前腕部の周部を隈無く挟圧する事ができる。
【００５６】
また、図４に示すように、前記肘掛部１４ａは、椅子本体１０ａに対して前後方向に移動可能に設けられており、前記背凭れ部１２ａのリクライニング角度に応じた所定の移動量を保持しながら前記背凭れ部１２ａのリクライニング動作に連動して前記肘掛部１４ａが椅子本体１０ａに対して前後方向に移動するようにしている。
【００５７】
すなわち、前記肘掛部１４ａの下部に前後方向に回動するための回動部１４１ａを設けると共に、肘掛部１４ａの後部で回動可能に前記背凭れ部１２ａの側部と連結する連結部１４２ａを設けて構成している。
【００５８】
または、図示しないが、前記回動部１４１ａの代わりに、ガイドレールなどを採用した水平スライド機構を設けて、前記肘掛部１４ａ全体が前記背凭れ部１２ａのリクライニング動作と連動して、水平にスライド移動するようにしてもよい。
【００５９】
図１に示すように、前記椅子本体１０ａの空洞部６２ａにおいて、その先端部に施療機構３ａの作動、膨縮袋４ａの膨縮、並びに前腕部施療機構６ａの作動を開始又は瞬間停止させる安全作動スイッチ６４ａが備えられており、該安全作動スイッチ６４ａを備える事により、施療者は空洞部６２ａに手腕部が保持された状態のままで、施療機構３ａや膨縮袋４ａ、前腕部施療機構６ａの作動を開始又は瞬間停止を行う事ができるようにしている。
【００６０】
よって、施療者が椅子本体１０ａから即座に離れて避難する必要が生じるなどの緊急事態や施療者の都合による施療停止の意思に基づいて、安全作動スイッチ６４ａが使用できるものであり、例えば、膨縮袋４ａの挟圧などにより施療者の身体、または手腕や脚などの肢体或いは肩部や上腕部が拘束されていた場合であっても、指先で安全作動スイッチ６４ａを操作して、直ちに膨縮袋４ａの内部気圧を緩和させて、身体や肢体を離脱させる事ができるのである。
【００６１】
前記施療機１ａの操作を行うため、図１に示すように、リモートコントローラ等の操作部５ａを前記背凭れ部１２ａの左右にある前記各側壁部２ａのうち、片側前方に備えており、該操作部５ａによって、電源の入切、前記施療機構３ａや前記空気給排装置４２ａ及び各前記膨縮袋４ａによる施療の種類や強度等の選択、また、前記背凭れ部１２ａのリクライニングや前記足載部１３ａの上下動の調節等、施療機１ａの全ての機能に対する操作を行うようにしている。尚、操作部５ａの操作は、図示しないが、液晶画面等の操作表示部や操作ボタン、またはダイヤル等の操作指示部等で行うようにしてもよい。
【００６２】
また、図１６に示すように、前記空洞部６２ａの先端部に、前記操作部５ａとは別に、操作具５１ａを取り付けて、操作部５ａで行う操作を該操作具５１ａにて行い得るよう構成する事ができる。
【００６３】
前記操作具５１ａは、施療者が手部にて操作し易いレバー５１１ａ及び実行ボタン５１２ａを備えたスティック方式のものを採用できる。該レバー５１１ａは、前後方向または左右方向に動かすか、或いは四方または八方など、周囲に動かす事により、選択操作する事ができる形態のもので、前記操作部５ａの前記液晶画面を確認しながら選択を行い、次いで実行ボタン５１２ａを押して決定する事ができる。
【００６４】
尚、前記操作具５１ａは、施療者の腕部の長さの違いに対応するため、前後にスライド調節するためのスライド調節手段５１３ａを備えてもよい。該スライド調節手段５１３ａは、図示しないが摺動レール及び摺動部材から構成する事ができる。また、必要に応じて、前記操作具５１ａに前記安全作動スイッチ６４ａを配備してもよい。
【００６５】
さらに、前記操作部５ａまたは前記操作具５１ａによる前記施療機１ａの操作に伴う制御は、電子制御であり、また、予めプログラムされたデータに基づく動作や、施療者が任意に入力したプログラムデータに基づいて動作するようにしてもよい。
【００６６】
前記操作部５ａ及び前記操作具５１ａによる操作手順として、例えば、先ず操作部５ａにおいて施療機１ａの動作設定を行い、次いで施療者は両腕を前記前腕部施療機構６ａの前記空洞部６２ａに挿入載置すると共に、操作具５１ａを掴んだ状態で前記実行ボタン５１２ａを押して施療を開始させる事ができる。また、施療中でも施療者は操作部５ａの前記操作表示部を見ながら操作具５１ａを用いて、所望する施療動作や椅子本体１０ａの動作を選択実行したり、または終了指示したりする事も可能である。
【００６７】
前記施療機１ａに関しては、これまで主に椅子型のものを示したが、これに限らず、例えば、他に少なくとも施療者の臀部または大腿部が当接する座部と施療者の背部が当接する背凭れ部を設けてなるマット型やベッド型にも上記の構成を適用する事ができ、そのような形態の場合は、該背凭れ部または座部の左右両側に、前述した前腕部施療機構６ａを設けて構成する事ができる。
【図面の簡単な説明】
【００６８】
【図１】本発明の施療機の一実施形態を示す斜視図である。
【図２】本発明の施療機の一実施形態を示す使用時の斜視図である。
【図３】本発明の施療機の一実施形態を示す使用時の右側面図である。
【図４】本発明の施療機の一実施形態を示す使用時の右側面図である。
【図５】本発明の施療機における背凭れ部の一実施形態を示す横断面説明図である。
【図６】本発明の施療機における肘掛部の一実施形態を示す使用時の平面説明図である。
【図７】本発明の施療機における肘掛部の一実施形態を示す縦断面説明図である。
【図８】本発明の施療機における肘掛部の一実施形態を示す縦断面説明図である。
【図９】本発明の施療機における肘掛部の一実施形態を示す縦断面説明図である。
【図１０】本発明の施療機における肘掛部の一実施形態を示す縦断面説明図である。
【図１１】本発明の施療機における肘掛部の一実施形態を示す縦断面説明図である。
【図１２】本発明の施療機における肘掛部の一実施形態を示す縦断面説明図である。
【図１３】本発明の施療機における肘掛部の一実施形態を示す斜視説明図である。
【図１４】本発明の施療機における肘掛部の一実施形態を示す斜視説明図である。
【図１５】本発明の施療機における肘掛部の一実施形態を示す斜視説明図である。
【図１６】本発明の施療機における肘掛部の一実施形態を示す斜視説明図である。
【図１７】本発明の施療機の一実施形態を示す使用時の部分正面説明図である。
【図１８】従来技術を示す参考図である。
【図１９】従来技術を示す参考図である。
【図２０】従来技術を示す参考図である。
【符号の説明】
【００６９】
１ａ  施療機
１０ａ  椅子本体
１１ａ  座部
１２ａ  背凭れ部
１３ａ  足載部
１３１ａ  凹部
１４ａ  肘掛部
１４１ａ  回動部
１４２ａ  連結部
２ａ  側壁部
３ａ  施療機構
３１ａ  施療子
３２ａ  ガイドレール
３３ａ  伸縮部
４ａ  膨縮袋
４１ａ  縁部
４２ａ  空気給排装置
５ａ  操作部
５１ａ  操作具
５１１ａ  レバー
５１２ａ  実行ボタン
５１３ａ  スライド調節手段
６ａ  前腕部施療機構
６１ａ  前腕挿入開口部
６２ａ  空洞部
６２１ａ  内部壁面
６２２ａ  外側立上り壁
６２３ａ  内側立上り壁
６２４ａ  底面部
６３ａ  載置面
６４ａ  安全作動スイッチ
６５ａ  手掛け部
６６ａ  口型施療部
６７ａ  凹型施療部
６８ａ  Ｌ型施療部
６９ａ  コ型施療部
【図１】
2008043449.tif 000003
【図２】
2008043449.tif 000004
【図３】
2008043449.tif 000005
【図４】
2008043449.tif 000006
【図５】
2008043449.tif 000007
【図６】
2008043449.tif 000008
【図７】
2008043449.tif 000009
【図８】
2008043449.tif 000010
【図９】
2008043449.tif 000011
【図１０】
2008043449.tif 000012
【図１１】
2008043449.tif 000013
【図１２】
2008043449.tif 000014
【図１３】
2008043449.tif 000015
【図１４】
2008043449.tif 000016
【図１５】
2008043449.tif 000017
【図１６】
2008043449.tif 000018
【図１７】
2008043449.tif 000019
【図１８】
2008043449.tif 000020
【図１９】
2008043449.tif 000021
【図２０】
2008043449.tif 000022